(57)【要約】【課題】暑熱環境から移動してきた者の暑熱感をすぐに解消させる。【解決手段】個別空調機器５０は、フロントパネル５１と、フロントパネル５１に対向するリアパネル５２と、フロントパネル５１とリアパネル５２との間の空洞に設けられ、周辺温度よりも低温又は高温の熱媒体が供給されることによって、前記空洞内の空気と前記熱媒体との間で熱交換するとともに輻射冷熱又は輻射温熱及び対流を発生させる熱交換器５５と、前記空洞内の空気を送風するファン５６，５７と、を備える。【選択図】図３
2020051684.tif 000002
【特許請求の範囲】
【請求項１】
フロントパネルと、
前記フロントパネルに対向するリアパネルと、
前記フロントパネルと前記リアパネルとの間の空洞に設けられ、周辺温度よりも低温又は高温の熱媒体が供給されることによって、前記空洞内の空気と前記熱媒体との間で熱交換するとともに輻射冷熱又は輻射温熱及び自然対流を発生させる熱交換器と、
前記空洞内の空気を送風するファンと、を備える
空調機器。
【請求項２】
前記ファンが前記フロントパネルに設けられ、前記ファンが前記空洞内の空気を前方に送風する
請求項１に記載の空調機器。
【請求項３】
前記ファンが前記空洞の上部に設けられ、前記ファンが前記空洞内に向けて下方に送風する
請求項１に記載の空調機器。
【請求項４】
前記ファンが前記空洞の側部に設けられ、前記ファンが前記空洞内に向けて横に送風する
請求項１に記載の空調機器。
【請求項５】
前記ファンが前記空洞の下部に設けられ、前記ファンが前記空洞内の空気を下方に送風する
請求項１に記載の空調機器。
【請求項６】
前記フロントパネル、前記リアパネル、前記熱交換器及び前記ファンが机の天板から上方又は下方に離れて配置される
請求項１から５の何れか一項に記載の空調機器。
【発明の詳細な説明】
【技術分野】
【０００１】
本発明は空調機器に関する。
【背景技術】
【０００２】
特許文献１，２には、机と、その机の背側に立設された衝立と、その衝立に内蔵された熱交換式空調機とを備える空調装置付き机が開示されている。このような空調装置付き机を用いれば、机で作業する作業者の周りを熱交換式空調機によって個別に空調することができる。
【０００３】
特許文献３には、タスク・アンビエント空調が開示されている。アンビエント空調には床吹出式空調システムが採用され、温度調節された空気を床の吹出口から吹き出すことによって室内の全体的な温度が適切な温度に調節される。タスク空調には対流発生パネルが採用されている。具体的には、机の周りに間仕切りが設けられることによって個別空間が区画され、対流発生パネルがその間仕切りに取り付けられている。対流発生パネルは、起立した状態の一対の対向板と、それら対向板の間に設けられた熱交換器とを有する。
冷房時には、机の天板の上方において対流発生パネルを間仕切りに取り付け、室温よりも低い熱媒体を対流発生パネルの熱交換器に供給すると、熱交換器及び対向板が冷やされる。そのため、熱交換器及び対向板の冷輻射によって作業者に涼感を与えることができる。また、一対の対向板の間の空気と熱媒体との熱交換によって空気が冷やされ、その空気の自然対流により下降する。そのため、机の天板上に冷気が漂い、作業者に涼感を与えることができる。更に、机の天板も冷やされ、天板の二次冷輻射によって作業者に涼感を与えることができる。
暖房時には、机の天板の下方において対流発生パネルを間仕切りに取り付け、室温よりも高い熱媒体を対流発生パネルの熱交換器に供給すると、熱交換器及び対向板が温められる。そのため、机の天板の下に暖気が漂うことによって、更に熱交換器及び対向板の温輻射によって、作業者に温感を与えることができる。
【先行技術文献】
【特許文献】
【０００４】
【特許文献１】特開２０１６−２０５７１３号公報
【特許文献２】特開２０１６−２０５７１９号公報
【特許文献３】特許第５３９６２４８号公報
【発明の概要】
【発明が解決しようとする課題】
【０００５】
ところで、暑熱環境からタスク・アンビエント空調の冷房環境に移動してきた場合、その者の粗熱が除去されるまでの間は十分な涼感が得られない上、涼感を得るまでに長時間を要する。また、タスク・アンビエント空調の冷房環境に慣れるまでの間、暑さを感じてしまうこともある。それに対処すべく、団扇で仰いで涼感を得るものとしても、作業の妨げになってしまう。また、冷房環境に移動する前にクールシャワーなど専用の粗熱除去装置を用いて涼感を得るものとしても、粗熱除去装置の設置コストが増えてしまう。
【０００６】
そこで、本発明は上記事情に鑑みてなされたものであり、本発明が解決しようとする課題は、暑熱環境から移動してきた者の暑熱感をすぐに解消させることである。
【課題を解決するための手段】
【０００７】
以上の課題を解決するために、空調機器は、フロントパネルと、前記フロントパネルに対向するリアパネルと、前記フロントパネルと前記リアパネルとの間の空洞に設けられ、周辺温度よりも低温又は高温の熱媒体が供給されることによって、前記空洞内の空気と前記熱媒体との間で熱交換するとともに輻射冷熱又は輻射温熱及び自然対流を発生させる熱交換器と、前記空洞内の空気を送風するファンと、を備える。
【０００８】
以上によれば、周辺温度よりも低温の熱媒体が熱交換器に供給されると、空調機器を冷房機器として利用できる。その場合、輻射冷熱が熱交換器から発生して、空調機器の近くに居る者が涼感を得られる。更に、フロントパネルとリアパネルの間の空洞内の空気が冷やされて自然に下降するため、空調機器の近くに居る者が自然対流による涼感を得られる。
また、空洞内の空気がファンによって送風されるため、気流が空洞から吹き出される。暑熱環境から移動してきた者がその気流を浴びると、急速に冷やされるとともに涼感を得られる。よって、その者の暑熱感がすぐに解消される。
【０００９】
一方、周辺温度よりも高温の熱媒体が熱交換器に供給されると、空調機器を暖房機器として利用できる。その場合、輻射温熱が熱交換器から発生するため、空調機器の近くに居る者が温感を得られる。更に、フロントパネルとリアパネルの間の空洞内の空気が温められて自然に上昇するため、空調機器の近くに居る者が温感を得られる。
また、暖房環境に暑さを感じた者が空洞から吹き出されるファンの気流を浴びると、逆に暑さが緩和されるという利用方法による効果も期待できる。
【００１０】
好ましくは、前記ファンが前記フロントパネルに設けられ、前記ファンが前記空洞内の空気を前方に送風する。
【００１１】
以上によれば、暑熱環境から移動してきた者がフロントパネルの前に居ると、ファンの気流を浴びるため、その者の暑熱感がすぐに解消される。
一方、暖房環境に暑さを感じた者がフロントパネルの前に居ると、ファンの気流を浴びるため、暑さが緩和される。
【００１２】
好ましくは、前記ファンが前記空洞の上部に設けられ、前記ファンが前記空洞内に向けて下方に送風する。
【００１３】
以上によれば、空調機器が冷房機器として用いられる場合、熱交換器によって冷やされた空気がファンによって強制的に下降するため、空調機器の近くに居る者が強制対流による涼感を得られる。特に、暑熱環境から移動してきた者が空洞の下方へ吹き出されるファンの気流を浴びると、その者の暑熱感がすぐに解消される。
一方、暖房環境に暑さを感じた者が空洞の下方に吹き出されるファンの気流を浴びると、暑さが緩和される。
【００１４】
好ましくは、前記ファンが前記空洞の側部に設けられ、前記ファンが前記空洞内に向けて横に送風する。
【００１５】
以上によれば、暑熱環境から移動してきた者が空洞から吹き出されるファンの気流を浴びると、その者の暑熱感がすぐに解消される。
一方、暖房環境に暑さを感じた者が空洞から吹き出されるファンの気流を浴びると、暑さが緩和される。
【００１６】
好ましくは、前記ファンが前記空洞の下部に設けられ、前記ファンが前記空洞内の空気を下方に送風する。
【００１７】
以上によれば、空調機器が冷房機器として用いられる場合、熱交換器によって冷やされた空気がファンによって強制的に下降するため、空調機器の近くに居る者が強制対流による涼感を得られる。特に、暑熱環境から移動してきた者が空洞の下方へ吹き出されるファンの気流を浴びると、その者の暑熱感がすぐに解消される。
一方、暖房環境に暑さを感じた者が空洞の下方に吹き出されるファンの気流を浴びると、暑さが緩和される。
【００１８】
好ましくは、前記フロントパネル、前記リアパネル、前記熱交換器及び前記ファンが机の天板から上方又は下方に離れて配置される。
【００１９】
以上によれば、フロントパネル、リアパネル、熱交換器及びファンが机の天板から上方に離れて配置される場合、周辺温度よりも低い熱媒体が熱交換器に供給されると、空洞内の空気が冷やされて自然に下降する。その冷気が机の天板の上に漂うため、机で作業する者が涼感を得られる。
フロントパネル、リアパネル、熱交換器及びファンが机の天板から下方に離れて配置される場合、周辺温度よりも高い熱媒体が熱交換器に供給されると、空洞内の空気が温められて自然に上昇する。その暖気が机の天板の下に漂うため、机で作業する者が温感を得られる。
【発明の効果】
【００２０】
本発明によれば、暑熱環境から移動してきた者がファンの気流を浴びると、その者の暑熱感がすぐに解消する。
一方、暖房環境に暑さを感じた者がファンの気流を浴びると、その者の暑さが緩和される。
【図面の簡単な説明】
【００２１】
【図１】建物の或る階の断面図である。
【図２】執務室内に設置された什器類及び個別空調機器の斜視図である。
【図３】個別空調機器の斜視図である。
【図４】第２実施形態の個別空調機器の斜視図である。
【図５】第２実施形態の変形例の個別空調機器の斜視図である。
【図６】第３実施形態の個別空調機器の斜視図である。
【発明を実施するための形態】
【００２２】
〔第１の実施の形態〕
１．室内のタスク・アンビエント空調
図１は、建物の或る階の断面図である。この階は下側のスラブ１１と上側のスラブ１２との間に設けられており、下側スラブ１１の上方には床パネル１３が敷設され、下側スラブ１１と床パネル１３との間に床下空間１５が形成されている。上側スラブ１２の下方には天井パネル１４が設置され、上側スラブ１２と天井パネル１４との間には天井裏空間１６が形成されている。床パネル１３と天井パネル１４との間の空間は、下側スラブ１１上に立設された壁パネル１８によって執務室１７と機械室１９に区画されている。床パネル１３には、執務室１７と床下空間１５を連通させる吹出口１３ａが設けられている。天井パネル１４には、執務室１７と天井裏空間１６を連通させる吸込口１４ａが設けられている。
【００２３】
執務室１７では、タスク・アンビエント空調が行われる。アンビエント空調とは、執務室１７の全体的な温度を調節する空調をいい、タスク空調は、作業者の周りの温度を調節する空調をいう。アンビエント空調は空調機２０によって実施され、タスク空調は個別空調機器５０及び調温機器７０によって実施される。
【００２４】
２．アンビエント空調
執務室１７内のアンビエント空調を行う空調機２０は、機械室１９内に設置されている。空調機２０から天井裏空間１６までダクト２２が配設され、空調機２０から床下空間１５までダクト２１が配設されている。空調機２０は室内機及び換気装置等を備える。空調機２０は、吸込口１４ａ、天井裏空間１６及びダクト２２を通じて執務室１７内から空気を吸い込んで空調した上で、ダクト２１、床下空間１５及び吹出口１３ａを通じて空調済み空気を執務室１７内に吹き出す。これにより、執務室１７が全体的に適切な温度及び湿度に調整される。
【００２５】
また、空調機２０は、吸込口１４ａ、天井裏空間１６及びダクト２２を通じて執務室１７内から屋内空気を吸い込んで、その屋内空気を屋外に排出する。更に、空調機２０は、屋外から外気を吸い込んで、その外気と屋内空気との間で熱交換した上で、ダクト２１、床下空間１５及び吹出口１３ａを通じてその外気を執務室１７内に吹き出す。これにより、執務室１７内と屋外の換気が行われる。
【００２６】
３．タスク空調
図２は、執務室１７内に設置された什器類及び個別空調機器５０の斜視図である。図１及び図２に示すように、執務室１７内には複数の作業机３０が設置されている。背側が突き合わされた作業机３０の間には衝立４１が立設されており、左右に隣り合う作業机３０の間には衝立４２が立設されている。
【００２７】
作業机３０は天板３１及び脚部３２を備える。脚部３２が天板３１から垂下するとともに床パネル１３上で起立し、天板３１が脚部３２によって支持される。この天板３１には、木材、金属、ガラス等で作製された矩形状の板材が用いられる。天板３１の幅は、衝立４１の幅（左右方向の長さ）と同程度に定められ、天板３１の奥行きは衝立４２の幅（前後方向の長さ）と同程度に定められる。作業者は作業机３０の前で椅子に座って作業机３０で作業を行い、パネル型の個別空調機器５０によって作業者の周りのタスク空調がなされる。個別空調機器５０は輻射式且つ対流式の空調機器である。
【００２８】
個別空調機器５０は、各作業机３０の天板３１の上の奥側において、天板３１から上方又は下方に離れた位置に設置されている。具体的には、個別空調機器５０が衝立４１に対して着脱可能式であり、個別空調機器５０を冷房機として利用する場合には、実線で示すように個別空調機器５０が天板３１の上方において衝立４１に掛けられて設置され、個別空調機器５０が作業机３０の天板３１の上及びその周辺を個別に冷房する。一方、個別空調機器５０を暖房機として利用する場合には、二点鎖線で示すように個別空調機器５０が天板３１の下方において衝立４１に掛けられて設置され、個別空調機器５０が作業机３０の天板３１の下及びその周辺を個別に暖房する。
なお、個別空調機器５０が天板３１上で起立した脚部によって支持されることによって天板３１から上方に離れて設置されるものとしてもよいし、個別空調機器５０が吊り材によって天板３１から吊り下げられて設置されてもよい。
【００２９】
図３を参照して、個別空調機器５０について詳細に説明する。図３は、個別空調機器５０の斜視図である。図３では、個別空調機器５０の内部を図示するため、個別空調機器５０のフロントパネル５１の一部を切り取って示す。
【００３０】
個別空調機器５０はフロントパネル５１、リアパネル５２、サイドパネル５３，５４、熱交換器５５、ファン５６，５７、可撓性往き管６１、可撓性還り管６２及びカプラー６３（図２参照）を備える。
【００３１】
フロントパネル５１、リアパネル５２及びサイドパネル５３，５４は上下が開口した薄型の角筒状に組み立てられている。フロントパネル５１とリアパネル５２はこれらの間に間隔を置いて前後に互いに対向し、サイドパネル５３，５４がこれらの間に間隔を置いて左右に互いに対向する。なお、パネル５１〜５４によって囲われた空洞の上部開口若しくは下部開口又はこれらの両方にパンチングプレート或いは金網等のフィルタが設けられてもよい。
【００３２】
フロントパネル５１の右部と左部には吹出口が形成されており、吹出口にファン５６，５７が設けられている。ファン５６，５７がパンチングプレート或いは金網等の有孔板によって覆われて、有孔板によって保護されている。ファン５６，５７はプロペラファン等の軸流ファンであり、パネル５１〜５４によって囲われた空洞内の空気を前方に向けて送風する。なお、ファン５６，５７は遠心ファン、斜流ファン又は横断流ファンであってもよい。
【００３３】
パネル５１〜５４によって囲われた空洞には、熱交換器５５が収容されている。熱交換器５５は熱媒体パイプ５５ａと、熱媒体パイプ５５ａの外面に取り付けられた放熱用又は吸熱用の伝熱フィン５５ｂとを有する。
【００３４】
熱媒体パイプ５５ａは金属等のように熱伝導率の高い伝熱管材からなり、例えば鉄管、ステンレス管、銅管、アルミニウム管といった金属パイプを熱媒体パイプ５５ａに利用することができる。熱媒体パイプ５５ａは、パネル５１〜５４によって囲われた空洞内の左部と右部において折り返されるように葛折り状に配管されている。なお、熱媒体パイプ５５ａの折り返し部の前には、ファン５６，５７が配置されている。
【００３５】
伝熱フィン５５ｂは、熱伝導率の高い針金を螺旋状に巻いて成るコイル材からなり、その螺旋状のコイル形態を保った状態で更に熱媒体パイプ５５ａの周囲に螺旋状に巻き付けられている。伝熱フィン５５ｂは、熱媒体パイプ５５ａの全体の外面に取り付けられていてもよいし、熱媒体パイプ５５ａの左右の折り返し部以外の部分全体に取り付けられていてもよい。伝熱フィン５５ｂは、空気に接触する表面積を拡大化させて、放熱又は吸熱の効率を向上させる表面積拡大部である。
【００３６】
熱媒体パイプ５５ａの一端に可撓性往き管６１の一端が接続され、熱媒体パイプ５５ａの他端に可撓性還り管６２の一端が接続されている。図２に示すように、可撓性往き管６１及び可撓性還り管６２の他端にはカプラー６３が取り付けられている。カプラー６３が床パネル１３に設けられたカプラーに接続されると、可撓性往き管６１が床下の往き管７１に接続され、可撓性還り管６２が床下の還り管７２に接続される。図１に示すように、往き管７１及び還り管７２は、一端同士が互いに接続されて床下空間１５内で配管されており、他端が機械室１９内の調温機器７０に接続されている。調温機器７０は、水等の熱媒体を所定の温度に調整しつつ、調温された熱媒体を往き管７１に送出するとともに還り管７２から熱媒体を受け入れることにより熱媒体を循環させる。ここで、個別空調機器５０が冷房機として利用される場合、調温機器７０が熱媒体を執務室１７内の温度よりも低く、例えば１５℃に調温する。一方、個別空調機器５０が暖房機として利用される場合、調温機器７０が熱媒体を執務室１７内の温度よりも高く、例えば４４〜４５℃に調温する。
【００３７】
４．冷房
冷房時は、空調機２０を冷房運転するとともに、調温機器７０を低温運転することによって、アンビエント冷房とタスク冷房を併用する。また、冷房時は、個別空調機器５０を天板３１の上方において衝立４１に掛けて用いる。
【００３８】
空調機２０が冷房運転されると、冷気が吹出口１３ａから吹き出される。これにより、執務室１７が設定温度に冷房される。
【００３９】
調温機器７０が低温運転されると、熱媒体が調温機器７０によって執務室１７の室温よりも低温に調温されるとともに、調温機器７０と熱交換器５５との間を循環する。熱交換器５５に供給された熱媒体によって熱交換器５５が周辺の室温よりも低く冷やされ、強いてはフロントパネル５１、リアパネル５２及びサイドパネル５３，５４も周辺の室温よりも低温に冷やされる。そうすると、熱交換器５５及びパネル５１〜５４から輻射冷熱が発生して、熱交換器５５及びパネル５１〜５４の冷輻射によって、作業机３０で作業する作業者に涼感を与えることができる。
【００４０】
また、熱交換器５５によって熱交換器５５内の熱媒体と熱交換器５５外の空気の熱交換が行われ、冷気が自然対流によって下降する。下降した冷気が天板３１の表面に沿って拡がって、天板３１上で漂う。そのような冷気及びその流れによって、作業机３０で作業する作業者に涼感を与えることができる。ここで、熱交換器５５がパネル５１〜５４によって囲われているので、冷気の自然下降流が外乱に影響されない。
【００４１】
熱交換器５５及びパネル５１〜５４の冷輻射や天板３１上の冷気によって、天板３１も冷やされる。そうすると、天板３１の二次冷輻射によって、作業机３０で作業する作業者に涼感を与えることができる。
【００４２】
ところで、暑熱環境から執務室１７内に移動してきた者が空調機２０によるアンビエント冷房や個別空調機器５０によるタスク冷房の環境に曝されても、その者の粗熱が除去されるまでの間、その者は暑さを感じてしまう。しかしながら本実施形態では、ファン５６，５７により生じた気流を浴びることによって、涼感が得られる。また、その者の粗熱がファン５６，５７による気流によって急速に除去される。よって、その者の暑熱感がすぐに解消される。
【００４３】
しかも、ファン５６，５７が前方に向けて送風するので、気流は作業者の頭部、頸部或いは胸部に当たり、作業者が涼感を得やすい。
【００４４】
また、ファン５６，５７が熱媒体パイプ５５ａの左右の折り返し部の前に設けられているので、ファン５６，５７の気流が冷気の自然下降流に影響を及ぼしにくく、冷気の流れに乱れが殆ど生じない。但し、熱交換器５５によって冷やされた冷気がファン５６，５７によって作業者に向けて送風されてもよい。
【００４５】
なお、ファン５６，５７がセンサ又はスイッチ（開閉器）によって通電・遮電されるものとしてもよい。以下に、センサ又はスイッチを用いた例を挙げる。
【００４６】
（１）  ファン５６，５７をオン・オフするスイッチが作業机３０、パネル５１〜５４又は衝立４１，４２に設けられている。作業者が暑さを感じたら、スイッチをオンに操作することによって、ファン５６，５７を作動させる。一方、作業者が暑さを解消したら、スイッチをオフに操作することによって、ファン５６，５７を停止させる。
【００４７】
（２）  非接触型又は接触型の人感センサが作業机３０、衝立４１，４２若しくはパネル５１〜５４又はそれらの周囲に設けられている。人感センサによって作業者が検出されたら、制御回路がファン５６，５７を作動させる。その後、制御回路が作業者の検出時から所定時間だけ計時したら、制御回路がファン５６，５７を停止させる。なお、人感センサによって作業者が検出されなくなったら、制御回路がファン５６，５７を停止させるものとしてもよい。
【００４８】
（３）  作業机３０の上又はその周辺に設置されたパーソナルコンピュータに、そのパーソナルコンピュータの電源のオン・オフを検出するセンサが設けられている。センサによってパーソナルコンピュータの電源のオンが検出されたら、制御回路がファン５６，５７を作動させる。その後、制御回路がパーソナルコンピュータの電源オンの検出時から所定時間だけ計時したら、制御回路がファン５６，５７を停止させる。なお、センサによってパーソナルコンピュータの電源オフが検出されたら、制御回路がファン５６，５７を停止させるものとしてもよい。
【００４９】
（４）  作業机３０と組となる椅子に荷重センサが設けられており、荷重センサの検出荷重が制御回路によって所定閾値と比較される。作業者が椅子に着座すると、着座センサの検出荷重が所定閾値を超えるので、制御回路がファン５６，５７を作動させる。その後、制御回路がファン５６，５７の作動時から所定時間だけ計時したら、制御回路がファン５６，５７を停止させる。なお、作業者が立ち上がることによって荷重センサの検出荷重が所定閾値以下になったら、制御回路がファン５６，５７を停止させるものとしてもよい。
【００５０】
５．暖房
暖房時は、空調機２０を暖房運転するとともに、調温機器７０を高温運転することによって、アンビエント暖房とタスク暖房を併用する。また、暖房時は、個別空調機器５０を天板３１の下方において衝立４１に掛けて用いる。
【００５１】
空調機２０が暖房運転されると、暖気が吹出口１３ａから吹き出される。これにより、執務室１７が所定の設定温度に暖房される。
【００５２】
調温機器７０が高温運転されると、熱媒体が調温機器７０によって執務室１７の室温よりも高温に調温されるとともに、調温機器７０と熱交換器５５との間を循環する。熱交換器５５に供給された熱媒体によって熱交換器５５が周辺の室温よりも高温に温められ、強いてはフロントパネル５１、リアパネル５２及びサイドパネル５３，５４も周辺の室温よりも高温に温められる。そうすると、熱交換器５５及びパネル５１〜５４から輻射及び対流温熱が発生して、熱交換器５５及びパネル５１〜５４の温輻射によって、作業机３０で作業する作業者に温感を与えることができる。
【００５３】
また、熱交換器５５によって熱媒体と空気の熱交換が行われ、暖気が自然対流によって上昇する。上昇した暖気が天板３１の裏側の表面に拡がって、天板３１の下で漂う。そのような暖気及びその流れによって、作業机３０で作業する作業者に温感を与えることができる。
【００５４】
熱交換器５５及びパネル５１〜５４の温輻射や天板３１下の暖気によって、天板３１も温められる。そうすると、天板３１の二次温輻射によって、作業机３０で作業する作業者に温感を与えることができる。
【００５５】
通常時はファン５６，５７が停止しているが、作業者が暖房の暑さを感じたら、スイッチをオンに操作することによって、ファン５６，５７を作動させる。そうすると、作業者がファン５６，５７による気流を浴びることによって、涼感を得られる。
【００５６】
〔第２の実施の形態〕
図４は、第２実施形態の個別空調機器５０Ａの斜視図である。第２実施形態の個別空調機器５０Ａの各構成要素には、それに相当する個別空調機器５０の各構成要素と同一の符号を付す。また、以下では、第２実施形態の個別空調機器５０Ａと第１実施形態の個別空調機器５０との間で相違する点について主に説明する。
【００５７】
第２実施形態では、軸流ファン、遠心ファン、斜流ファン又は横断流ファン等のファン５６，５７がパネル５１〜５４によって囲われた空洞の上部開口に設けられているとともに、フロントパネル５１の中央に横長のスリット５８が形成されている。
【００５８】
冷房時にファン５６，５７が作動すると、ファン５６，５７が下方に向けて送風する。そうすると、熱交換器５５によって冷やされた冷気が自然対流に加えて、ファン５６，５７の風圧によって下方に流れる。下方に流れた冷気が天板３１に沿って前方に流れて、作業者に吹き付けられる。そのため、作業者に涼感を与えることができる。
【００５９】
また、ファン５６，５７の風圧によって、熱交換器５５によって冷やされた冷気の一部がスリット５８を通過して前方に流れる。そのため、その冷気が作業者に吹き付けられるので、作業者に涼感を与えることができる。
【００６０】
スリット５８を開閉するシャッターがスリット５８に設けられていてもよい。作業者が手動で又は電動でシャッターを閉じると、冷気がスリット５８から吹き出なくなるが、冷気の下降気流の流量が増える。一方、作業者が手動で又は電動でシャッターを開くと、スリット５８からの冷気と下降気流の冷気が作業者に吹き付けられる。よって、シャッターの開閉によって冷気の吹付態様を変更することができる。
【００６１】
なお、スリット５８が形成されていなくてもよい。
【００６２】
暖房時に作業者が暑さを感じた場合、スイッチをオンに操作することによって、ファン５６，５７を作動させる。そうすると、ファン５６，５７が下方に向けて送風するため、空気が床パネル１３に沿って前方に流れて、作業者に吹き付けられる。そのため、作業者が涼しさを感じる。この時ファン５６，５７の風向を逆向きに運転すると、空気が作業机３０の天板３１に沿って前方に流れるため、より効果的に気流を浴びさせることもできる。
【００６３】
図４に示す例では、ファン５６，５７がパネル５１〜５４によって囲われた空洞の上部開口に設けられていたが、逆に、図５に示す個別空調機器５０Ｂのように、ファン５６，５７がパネル５１〜５４によって囲われた空洞の下部開口に設けられてもよい。この場合、冷気噴き出し用のスリットが形成されていない。またこの場合、冷房時に、ファン５６，５７が熱交換器５５によって冷やされた冷気を吸い込んで、それを下方に送風するため、下方に流れた冷気が天板３１に沿って前方に流れる。そのため、作業者に涼感を与えられる。一方、暖房時に、ファン５６，５７が下方又は上方に向けて送風するため、暖房に暑さを感じた者が気流によって涼しさを感じる。
【００６４】
〔第３の実施の形態〕
図６は、第３実施形態の個別空調機器５０Ｃの斜視図である。第３実施形態の個別空調機器５０Ｃの各構成要素には、それに相当する個別空調機器５０の各構成要素と同一の符号を付す。また、以下では、第３実施形態の個別空調機器５０Ｃと第１実施形態の個別空調機器５０との間で相違する点について主に説明する。
【００６５】
第３実施形態では、サイドパネル５３，５４の上部に吸込口がそれぞれ形成されており、軸流ファン、遠心ファン、斜流ファン又は横断流ファン等のファン５６，５７が各吸込口に設けられている。また、フロントパネル５１の中央に横長のスリット５８が形成されている。
【００６６】
冷房時にファン５６，５７が作動すると、ファン５６，５７が、パネル５１〜５４に囲まれた空洞に向けて送風する。そうすると、熱交換器５５によって冷やされた冷気がファン５６，５７の風圧によって空洞の上部開口や下部開口から吹き出される。空洞の下部開口から吹き出された冷気が天板３１に沿って前方に流れて、作業者に吹き付けられる。そのため、作業者に涼感を与えることができる。
【００６７】
また、ファン５６，５７の風圧によって、熱交換器５５によって冷やされた冷気の一部がスリット５８を通過して前方に流れる。そのため、その冷気が作業者に吹き付けられるので、作業者に涼感を与えることができる。なお、第２実施形態の場合と同様に、シャッターがスリット５８に設けられていてもよい。
【００６８】
暖房時に作業者が暑さを感じた場合、スイッチをオンに操作することによって、ファン５６，５７を作動させる。そうすると、ファン５６，５７がパネル５１〜５４に囲まれた空洞に向けて送風するため、空洞内の空気が空洞の上部開口及び下部空洞から吹き出て、その空気が天板３１の裏側及び床パネル１３に沿って前方に流れて、作業者の下半身に吹き付けられる。そのため、作業者が涼しさを感じる。
【００６９】
〔変形例〕
上記各実施形態では、個別空調機器５０，５０Ａ，５０Ｂ，５０Ｃのデザインやファン５６，５７の設置スペースに応じて、ファン５６，５７の設置位置がフロントパネル５１、サイドパネル５３，５４、空洞の上部開口又は空洞の下部開口である。個別空調機器５０，５０Ａ，５０Ｂ，５０Ｃのデザイン、ファン５６，５７の大きさ、ファン５６，５７の設置スペースを設計変更して、ファン５６，５７の設置位置を設計変更してもよい。設計変更した場合でも、ファン５６，５７の気流が直接的又は間接的に作業者に吹き付けられるようにする。
【符号の説明】
【００７０】
５０，５０Ａ，５０Ｂ…輻射型空調機器
５１…フロントパネル
５２…リアパネル
５３，５４…サイドパネル
５５…熱交換器
５６，５７…ファン
【図１】
2020051684.tif 000003
【図２】
2020051684.tif 000004
【図３】
2020051684.tif 000005
【図４】
2020051684.tif 000006
【図５】
2020051684.tif 000007
【図６】
2020051684.tif 000008